(57)【特許請求の範囲】
【請求項１】
モニタ支持体の特定面に記憶媒体挿入口が設けられ、モニタパネルの裏面が該特定面と対向している完全閉状態と、該特定面に対して該モニタパネルの表示面が所定角度を成す完全開状態との間で、該モニタパネルの角度が変わるよう、該モニタパネルを該モニタ支持体に取り付けるチルト機構を備えているモニタ可動システムにおいて、
前記モニタ支持体内の前記記憶媒体の排出を指示する排出操作端と、
前記モニタ支持体内の前記記憶媒体を前記記憶媒体挿入口から排出させる記憶媒体排出機構と、
前記特定面に対する前記モニタパネルの角度を検出するチルト角度検知手段と、
前記排出操作端が操作され、且つ前記チルト角度検知手段で前記モニタパネルが前記完全開状態になっていると検知されたときのみ、前記記憶媒体排出機構を動作させて、前記モニタ支持体内の前記記憶媒体を排出させる記憶媒体排出制御手段と、
前記モニタ支持体の特定面に設けられた照明と、
前記チルト角度検知手段で前記モニタパネルが前記完全開状態になっていると検知されたときのみ、前記照明を点灯させる照明制御手段と、
を備えていることを特徴とするモニタ可動システム。
【請求項２】
請求項１に記載のモニタ可動システムにおいて、
前記チルト制御手段は、前記完全閉状態と前記完全開状態との間を多段階で角度変化させ、
前記排出操作端は、前記パネル支持体の特定面に対して垂直方向からの前記モニタパネルの投影面であって、前記完全開状態に最も近い中間開状態の前記モニタパネルの投影面内に設けられている、
ことを特徴とするモニタ可動システム。
【請求項３】
モニタ支持体の特定面に記憶媒体挿入口が設けられ、モニタパネルの裏面が該特定面と対向している完全閉状態と、該特定面に対して該モニタパネルの表示面が所定角度を成す完全開状態との間で、該モニタパネルの角度が変わるよう、該モニタパネルを該モニタ支持体に取り付けるチルト機構を備えているモニタ可動システムにおいて、
前記モニタ支持体内の前記記憶媒体の排出を指示する排出操作端と、
前記モニタ支持体内の前記記憶媒体を前記記憶媒体挿入口から排出させる記憶媒体排出機構と、
前記特定面に対する前記モニタパネルの角度を検出するチルト角度検知手段と、
前記排出操作端が操作され、且つ前記チルト角度検知手段で前記モニタパネルが前記完全開状態になっていると検知されたときのみ、前記記憶媒体排出機構を動作させて、前記モニタ支持体内の前記記憶媒体を排出させる記憶媒体排出制御手段と、
を備え、
前記チルト制御手段は、前記完全閉状態と前記完全開状態との間を多段階で角度変化させ、
前記排出操作端は、前記パネル支持体の特定面に対して垂直方向からの前記モニタパネルの投影面であって、前記完全開状態に最も近い中間開状態の前記モニタパネルの投影面内に設けられている、ことを特徴とするモニタ可動システム。
【請求項４】
モニタ支持体の特定面に記憶媒体挿入口が設けられ、モニタパネルの裏面が該特定面と対向している完全閉状態と、該特定面に対して該モニタパネルの表示面が所定角度を成す完全開状態との間で、該モニタパネルの角度が多段階で変わるよう、該モニタパネルを該モニタ支持体に取り付けるチルト機構を備えているモニタ可動システムにおいて、
前記モニタ支持体内の前記記憶媒体の排出を指示する排出操作端と、
前記排出操作端の操作で、前記モニタ支持体内の前記記憶媒体を前記記憶媒体挿入口から排出させる記憶媒体排出機構と、
を備え、
前記パネル支持体の特定面に対して垂直方向からの前記モニタパネルの投影面であって、前記完全開状態に最も近い中間開状態の前記モニタパネルの投影面内に、前記排出操作端が設けられている、
ことを特徴とするモニタ可動システム。
【発明の詳細な説明】
【０００１】
【発明の属する技術分野】
本発明は、モニタパネルの角度を変えるチルト機構を備えているモニタ可動システムに関する。
【０００２】
【従来の技術】
例えば、車両のナビゲーションシステムでは、本体に対するモニタパネルの角度を変えるチルト機構を備えているものがある。このナビゲーションシステムの本体の正面には、ＣＤ−ＲＯＭ等の記憶媒体を挿入する記憶媒体挿入口と、本体内から記憶媒体を排出するためのエジェクトボタンとが設けられている。
【０００３】
このナビゲーションシステムでは、本体正面に対して、モニタパネルが最も開いたときに、言い換えると、本体正面の前方空間が最も広がっているときに、記憶媒体を本体に対して出し入れするようになっている。
【０００４】
【発明が解決しようとする課題】
しかしながら、従来技術では、モニタパネルがあまり開いていないときに、運転者がエジェクトボタンを操作すると、本体内の記憶媒体が排出されてしまい、この記憶媒体がモニタパネルと接触し、記憶媒体を傷付ける恐れがあるという問題点がある。
【０００５】
そこで、本発明は、このような従来の問題点に着目し、記憶媒体を傷付けることなく、モニタ支持体に対して出し入れすることができるモニタ可動システムを提供することを目的とする。
【０００６】
【課題を解決するための手段】
前記目的を達成するためのモニタ可動システムは、
モニタ支持体の特定面に記憶媒体挿入口が設けられ、モニタパネルの裏面が該特定面と対向している完全閉状態と、該特定面に対して該モニタパネルの表示面が所定角度を成す完全開状態との間で、該モニタパネルの角度が変わるよう、該モニタパネルを該モニタ支持体に取り付けるチルト機構を備えているモニタ可動システムにおいて、
前記モニタ支持体内の前記記憶媒体の排出を指示する排出操作端と、
前記モニタ支持体内の前記記憶媒体を前記記憶媒体挿入口から排出させる記憶媒体排出機構と、
前記特定面に対する前記モニタパネルの角度を検出するチルト角度検知手段と、
前記排出操作端が操作され、且つ前記チルト角度検知手段で前記モニタパネルが前記完全開状態になっていると検知されたときのみ、前記記憶媒体排出機構を動作させて、前記モニタ支持体内の前記記憶媒体を排出させる記憶媒体排出制御手段と、
前記モニタ支持体の特定面に設けられた照明と、
前記チルト角度検知手段で前記モニタパネルが前記完全開状態になっていると検知されたときのみ、前記照明を点灯させる照明制御手段と、
を備えていることを特徴とするものである。
【０００８】
また、以上のモニタ可動システムにおいて、
前記チルト制御手段は、前記完全閉状態と前記完全開状態との間を多段階で角度変化させ、
前記排出操作端は、前記パネル支持体の特定面に対して垂直方向からの前記モニタパネルの投影面であって、前記完全開状態に最も近い中間開状態の前記モニタパネルの投影面内に設けられているものであってもよい。
【０００９】
前記目的を達成するための他のモニタ可動システムは、
モニタ支持体の特定面に記憶媒体挿入口が設けられ、モニタパネルの裏面が該特定面と対向している完全閉状態と、該特定面に対して該モニタパネルの表示面が所定角度を成す完全開状態との間で、該モニタパネルの角度が多段階で変わるよう、該モニタパネルを該モニタ支持体に取り付けるチルト機構を備えているモニタ可動システムにおいて、
前記モニタ支持体内の前記記憶媒体の排出を指示する排出操作端と、
前記排出操作端の操作で、前記モニタ支持体内の前記記憶媒体を前記記憶媒体挿入口から排出させる記憶媒体排出機構と、
を備え、
前記パネル支持体の特定面に対して垂直方向からの前記モニタパネルの投影面であって、前記完全開状態に最も近い中間開状態の前記モニタパネルの投影面内に、前記排出操作端が設けられていることを特徴とするものである。
【００１０】
【発明の実施の形態】
以下、本発明に係るモニタ可動システムの実施形態について、図面を用いて説明する。
【００１１】
本実施形態のモニタ可動システムは、いわゆる車両のナビゲーションシステムである。このナビゲーションシステムは、図１に示すように、液晶モニタ１１及び各種操作端を有するモニタパネル１０と、液晶モニタ１１の表示内容等を制御する本体（モニタ支持体）２０と、本体２０に対するモニタパネル１０の角度を変えるチルト機構５０と、を備えている。
【００１２】
モニタパネル１０は、前述した液晶モニタ１１と、モニタパネル１０の角度（以下、チルト角度とする）の変更を指示するためのチルトボタン１２と、ポインティングデバイスとしてのジョイスティック１３と、液晶モニタ１１の電源ボタン１４と、を有している。
【００１３】
本体２０は、各種プログラム等を実行するＣＰＵ２１と、各種プログラムやデータ等が記憶されているＲＯＭ２２と、各種プログラムやデータ等が一時的に記憶されるＲＡＭ２３と、地図情報や音楽情報等の記憶媒体であるＣＤ３０を再生するＣＤドライバ３１と、このＣＤドライバ３１を制御するＣＤコントローラ３４と、音楽情報等の記憶媒体であるＭＤ４０を再生するＭＤドライバ４１と、ＭＤドライバ４１を制御するＭＤコントローラ４４と、チルト機構５０の動作を制御するチルトコントローラ２４と、モニタ等を制御するモニタコントローラ２５と、ＣＤドライバ内からＣＤ３０の排出を指示するためのＣＤエジェクトボタン（排出操作端）３５ａと、このＣＤエジェクトボタン３５ａの表面に設けられているＣＤ有照明３５ｂと、ＭＤドライバ内からＭＤ４０の排出を指示するためのＭＤエジェクトボタン４５ａと、このＭＤエジェクトボタン４５ａの表面に設けられているＭＤ有照明４５ｂと、ＭＤ挿入口４７の存在位置を示すためのＭＤ挿入口照明４６と、を有している。
【００１４】
図３（ｂ）に示すように、本体２０の正面２９には、ＣＤを挿入するためのＣＤ挿入口３７と、照明付ＣＤエジェクトボタン３５（ＣＤエジェクトボタン３５ａとＣＤ有照明３５ｂとで構成）と、ＭＤを挿入するためのＭＤ挿入口４７と、照明付ＭＤエジェクトボタン４５（ＭＤエジェクトボタン４５ａとＭＤ有照明４５ｂとで構成）と、ＭＤ挿入口照明４６とが、設けられている。
【００１５】
ＣＤドライバ３１は、図２に示すように、ＣＤ再生部３２の他に、ＣＤドライバ内からＣＤ３０を排出する排出部（記憶媒体排出機構）３３と、ＣＤ３０の有無を検知するセンサ（図示されていない）とを有している。同様に、ＭＤドライバ４１も、ＭＤ録音再生部のほかに、ＭＤドライバ内からＭＤを排出する排出部と、ＭＤの有無を検知するセンサ（いずれも、図示されていない）とを有している。
【００１６】
チルト機構５０は、図２及び図３に示すように、モニタパネル１０の裏面が本体正面（特定面）２９と対向している完全閉状態（図３（ａ））と、モニタパネル１０のモニタ表面が本体正面２９に対して垂直になる完全開状態（図３（ｂ））との間で、モニタパネル１０の角度を変更するものである。このチルト機構５０は、駆動リンク５１と、この駆動リンク５１を動作させる駆動機構５２と、駆動リンク５１の動作によって動く従動リンク５４とを有している。駆動機構５２には、動力源となるモータ５３が設けられている。駆動リンク５１の一端は、モニタパネル１０側面のほぼ中間部分にピン結合され、駆動リンク５１の他端は、駆動機構５２に連結され、駆動リンク５２の中間部は、本体２０にピン結合されている。従動リンク５４の一端は、モニタパネル１０側面の下部とピン結合され、従動リンク５４の中胴部及び他端部は、本体２０にスライド可能に設けられている。駆動リンク５１の他端部側には、ここの変位を検知することでモニタパネル１０の角度を検知するチルト角度センサ（チルト角度検出手段）５５が設けられている。なお、図１において、チルト機構５０のモータ５３やチルト角度センサ５５は、本体外にあるように描いているが、実際には、図２に示すように、チルト機構５０のほとんどと、チルト角度センサ５５は、本体内に設けられている。
【００１７】
なお、本実施形態において、記憶媒体排出制御手段と照明制御手段とは、ＣＤコントローラ３４、ＭＤコントローラ４４及びＣＰＵ２１を有して構成されている。
【００１８】
次に、本実施形態のナビゲーションシステムの操作及び動作について説明する。
【００１９】
モニタパネル１０のチルトボタン１２を押すと、この操作による信号がモニタコントローラ２５及びＣＰＵ２１に送信され、ＣＰＵ２１からチルトコントローラ２４を介して、チルト機構５０のモータ５３に対して駆動指示が出力される。モータ５３が駆動すると、図２に示すように、チルト機構５０の駆動リンク５１が中間ピンを中心として揺動し、この揺動に対して、モニタパネル１０の上端部が下方へ変位すると共に、モニタパネル１０の下端部及び従動リンク５４が前方へ変位する。この結果、モニタパネル１０は、パネル表面が本体正面２９と平行な完全閉状態から、本体正面２９に対して傾いた中間開状態になる。
【００２０】
ところで、本実施形態では、図５に示すように、チルトボタン１２を一回押す毎に、モニタパネル１０は、予め設定されたチルト角度幅ずつ多段階的にチルト角度が変わる。例えば、図５（ａ）に示すように、チルト角度幅を５°に設定した場合には、５°ずつチルト角度が変わる。つまり、完全閉状態のときにチルトボタン１２を一回押すと、チルト角度が５°になり、さらにチルトボタン１２を一回押すと、チルト角度が１０°になり、さらにチルトボタン１２を一回押すと、チルト角度が１５°になる。チルト角度が１５°のときに、チルトボタン１２を押すと、一気に完全閉状態になる。また、完全開状態のときに、チルトボタン１２を比較的長めに押し続けると、一気に完全閉状態になる。
【００２１】
モニタパネル１０の実際のチルト角度は、チルト角度センサ５５により検知され、検知されたチルト角度が目的のチルト角度、例えば、５°になると、チルト角度センサ５５からの出力が入力するチルトコントローラ２４により、モータ駆動が止められる。
【００２２】
本体１０のＲＡＭ２３には、現在のチルト角度と、一つ前の状態のチルト角度とが記憶される。このチルト角度の記憶は、チルト角度が変わるたびに更新される。完全開状態の際に、チルトボタン１２を一回押すと、チルトコントローラ２４がＲＡＭ２３を参照して、一つ前の状態のチルト角度を読み出し、モニタパネル１０が一つ前の状態のチルト角度になるよう、モータ５３を駆動する。例えば、完全開状態の一つ前のチルト角度が１０°である場合、完全開状態でチルトボタン１２を一回押すと、チルト角度が１０°になる。
【００２３】
チルト角度幅の設定を１０°に変更すると、図５（ｂ）に示すように、チルトボタン１２を一回押す毎に、チルト角度が１０°ずつ変わる。
【００２４】
チルト角度幅の設定変更は、モニタパネル１０のジョイスティック１３を用いて行う。まず、図４（ａ）に示すように、メニュー画面上の複数項目のうちから、ジョイスティック１３を操作して、「チルト角度設定」を選択する。すると、モニタ１１には、「チルト角度幅大」と「チルト角度幅小」の二つのチルト角度幅に関する選択項目が表示される。「チルト角度幅大」とは、この実施形態においては、チルト角度幅１０°のことであり、「チルト角度幅小」とは、この実施形態においては、５°のことである。現在のチルト角度幅が５°で、運転者が小さいと感じた場合には、ジョイスティック１３を操作して、「チルト角度幅大」を選択する。「チルト角度幅大」が選択されると、この「チルト角度幅大」に対応するチルト角度幅１０°が本体１０のＲＡＭ２３に記憶され、以降、チルト角度幅が設定変更されない限り、チルトボタン１３を一回押す毎に、１０°ずつチルト角度が変わる。
【００２５】
以上のように、本実施形態では、モニタパネルのチルト角度変化が多段階的であるものの、チルト角度幅を設定変更できるので、運転者が適当と感じるチルト角度に設定することができる。また、運転者が適当と感じるチルト角度が大きくても、チルト角度幅を大きくすることで、チルトボタンの操作回数を減らすことができる。
【００２６】
次に、図６に示すフローチャートに従って、ＣＤ排出制御について説明する。
【００２７】
ＣＤドライバ３１の排出部３３の動作を制御するＣＤコントローラ３４は、まず、ＣＤエジェクトボタン３５が押されたか否かを判断し（ステップ１１）、押されたと判断したならば、ＲＡＭ２３に記憶されている現在のチルト角度を参照する（ステップ１２）。そして、ＲＡＭ２３に記憶されている現在のチルト角度が完全開状態か否かを判断し（ステップ１３）、全開状態であれば、ＣＤドライバ３１の排出部３３に対して、ＣＤ３０の排出を促す（ステップ１４）。
【００２８】
したがって、本実施形態では、例えば、モニタパネル１０が中間開状態のときに、仮に、ＣＤエジェクトボタン３５を押すことができるとして、これを操作しても、ＣＤ３０は、ＣＤドライバ３１から排出されることはなく、モニタパネル１０にＣＤ３０が接触して、ＣＤ３０を損傷させてしまうようなことはない。
【００２９】
しかも、本実施形態では、図５（ｂ）に示すように、完全開状態以外で、最も本体正面２９が露出する、完全開状態の一段階前の中間開状態であっても、モニタパネル１０で隠される位置に、ＣＤエジェクトボタン３５が設けられているので、完全開状態以外では、ＣＤエジェクトボタン３５を操作することが実質的にできないようになっている。具体的には、本体正面２９に対して垂直方向からのモニタパネル１０の投影面であって、完全開状態に最も近い中間開状態のモニタパネル１０の投影面Ａ内に、ＣＤエジェクトボタン３５が設けられている。
【００３０】
次に、図７に示すフローチャートに従って、ＣＤ有照明３５ｂの制御について説明する。
【００３１】
ＣＤ有照明３５ｂを制御するＣＤコントローラ３４は、まず、ＣＤ有無センサからの出力で、ＣＤドライバ１１内にＣＤ３０が存在するか否かを判断し（ステップ２１）、存在すると判断した場合には、ＲＡＭ２３に記憶されている現在のチルト角度を参照する（ステップ２２）。そして、ＲＡＭ２３に記憶されている現在のチルト角度が完全開状態か否かを判断し（ステップ２３）、完全開状態であれば、ＣＤ有照明３５ｂを点灯させる（ステップ２４）。
【００３２】
なお、ＭＤ４０の排出制御、及びＭＤ有照明４５ｂの点灯制御に関しては、以上のＣＤ３０の排出制御、ＣＤ有照明３５ｂの点灯制御と、まったく同様である。
【００３３】
次に、図８に示すフローチャートに従って、ＭＤ排出口照明４６の点灯制御について説明する。
【００３４】
ＭＤ排出口照明４６を制御するＭＤコントローラ４４は、まず、車外灯がオンになっているか否かを判断し（ステップ３１）、オンになっていると判断した場合には、ＲＡＭ２３に記憶されている現在のチルト角度を参照する（ステップ３２）。そして、ＲＡＭ２３に記憶されている現在のチルト角度が完全開状態か否かを判断し（ステップ３３）、完全開状態であれば、ＭＤ挿入口照明４６を点灯させる。
【００３５】
以上のように、本実施形態では、モニタパネル１０が完全開状態のときのみＣＤ有照明３５ｂやＭＤ有照明４５ｂやＭＤ挿入口照明４６が点灯するので、中間開状態等、ＭＤやＣＤを操作すべきときではないときに、これらを操作することを抑制することができる。また、完全閉状態において、ＣＤ有照明３５ｂやＭＤ有照明４５ｂやＭＤ挿入口照明４６は、点灯しないので、夜間、完全閉状態のモニタパネル１１と本体２０との隙間から明かりが漏れることも防ぐことができる。
【００３６】
なお、本実施形態では、チルト角度幅の表示を、「チルト角度幅大」と「チルト角度幅小」と、角度幅の程度で示したが、数値で示してもよい。また、本実施形態では、チルト角度幅の種類が二つであるが、三つ以上であってもよい。
【００３７】
また、本実施形態は、モニタパネル１０が本体２０に対してスライドしつつ揺動するものであるが、モニタパネルが本体に対して揺動のみするものにも、本発明を適用してもよい。
【００３８】
また、本実施形態で取り扱っている記憶媒体は、ＣＤやＭＤであるが、これ以外の記憶媒体、例えば、ＤＶＤ等であっても、本発明を適用できることは言うまでもない。
【００３９】
【発明の効果】
以上のように、本発明では、モニタ支持体の特定面の前の空間が最も広がっている、完全開状態にならない限り、排出操作端を操作しても、本体内の記憶媒体が排出されないので、モニタパネルと記憶媒体との接触による損傷を防ぐことができる。
【図面の簡単な説明】
【図１】本発明に係る一実施形態におけるナビゲーションシステムの構成ブロック図である。
【図２】本発明に係る一実施形態におけるチルト機構の構成図である。
【図３】本発明に係る一実施形態におけるナビゲーションシステムの全体斜視図である。
【図４】本発明に係る一実施形態におけるチルト角度幅設定画面を示す説明図である。
【図５】本発明に係る一実施形態におけるチルト角度幅を変更した際のチルト角度の変化を示す説明図である。
【図６】本発明に係る一実施形態におけるＣＤ排出制御手順を示すフローチャートである。
【図７】本発明に係る一実施形態におけるＣＤ有照明の点灯制御手順を示すフローチャートである。
【図８】本発明に係る一実施形態におけるＭＤ挿入口照明の点灯制御手順を示すフローチャートである。
【符号の説明】
１０…モニタパネル、１１…モニタ、１２…チルトボタン、１３…ジョイスティック、２０…本体（モニタ支持体）、２１…ＣＰＵ、２２…ＲＯＭ、２３…ＲＡＭ、２４…チルトコントローラ、２５…モニタコントローラ、３０…ＣＤ、３１…ＣＤドライバ、３３…記憶媒体排出部（記憶媒体排出機構）、３４…ＣＤコントローラ、３５…照明付ＣＤエジェクトボタン（排出操作端）、３５ｂ…ＣＤ有照明、３７…ＣＤ挿入口、４０…ＭＤ、４１…ＭＤドライバ、４４…ＭＤコントローラ、４５…照明付ＭＤエジェクトボタン（排出操作端）、４５…ＭＤ有照明、４６…ＭＤ挿入口照明、４７…ＭＤ挿入口、５０…チルト機構、５３…モータ、５５…チルト角度センサ。
【図１】
0004187874.tif 000002
【図２】
0004187874.tif 000003
【図３】
0004187874.tif 000004
【図４】
0004187874.tif 000005
【図５】
0004187874.tif 000006
【図６】
0004187874.tif 000007
【図７】
0004187874.tif 000008
【図８】
0004187874.tif 000009